(57)【要約】  銀行券のようなシート物を含むコンテナ（４）をハウジングの外側から受け取ることができ、ハウジング内で開封することができる開封装置（６０）と、ハウジング内で開封したコンテナからシート物を計数し、計数されたシート物の枚数に対応する計数信号を作り出す計数装置（６８）とを含む、いたずらを防止するハウジング（５５）を備えたシート物を処理する装置。計数信号は、もう１つの場所から受けるか（２９）、またはコンテナ（４）内のＲＦＩＤタグで伝えられたデータから得られた参照データと照合することができる。
2008522265.tif 000002
【特許請求の範囲】
【請求項１】
ハウジングを備え、該ハウジングが、
ａ）シート物を収納するコンテナをハウジングの外側から受け取ることができ、該コンテナをハウジング内で開封することができる開封装置と、
ｂ）ハウジング内で開封されたコンテナからシート物を計数し、計数されたシート物の枚数に対応する計数信号を作り出す計数装置と
を含む、シート物を処理する装置。
【請求項２】
コンテナからシート物の種類を検出する種類センサを含む請求項１に記載の装置。
【請求項３】
種類センサによって検出された種類により、計数されたシート物を仕分けするソータを含む請求項２に記載の装置。
【請求項４】
開封されたコンテナから計数装置にシート物を供給するためのシート供給手段をハウジング内に含む請求項１〜３のいずれか１つに記載の装置。
【請求項５】
開封装置は、コンテナ内のシート物で密封された弾性的に変形可能な材料でできたコンテナを開封するよう構成された請求項１〜４のいずれか１つに記載の装置。
【請求項６】
開封装置は、コンテナを破裂させることができる請求項５に記載の装置。
【請求項７】
ハウジングは、挿入されたシート物を収納するコンテナを、開封装置で開封することができるドアを含む請求項１〜６のいずれか１つに記載の装置。
【請求項８】
開封装置は、ドアが閉じているときのみ作動する請求項７に記載の装置。
【請求項９】
計数信号に応答し、計数信号の値をコンテナ内のシート物の枚数に対応する参照データと比較することができる処理回路を含む請求項１〜８のいずれか１つに記載の装置。
【請求項１０】
参照データはコンテナ内に収納され、該参照データを検知する検知器を含む請求項９に記載の装置。
【請求項１１】
検知器は、コンテナ内のＲＦＩＤタグから参照データを検知するためのＲＦＩＤタグ読取器を備える請求項１０に記載の装置。
【請求項１２】
処理回路は、離れた位置から前記参照データを受ける入力部を含む請求項９〜１１のいずれか１つに記載の装置。
【請求項１３】
計数信号が参照データに対応しない場合、プロセッサがアラーム信号を提供するよう構成された請求項９〜１２のいずれか１つに記載の装置。
【請求項１４】
アラーム信号を表示する表示器を含む請求項９〜１３のいずれか１つに記載の装置。
【請求項１５】
参照データは、コンテナ内のシート物の種類に対応する情報を含む請求項９〜１４のいずれか１つに記載の装置。
【請求項１６】
特別な種類の紙幣の枚数が参照データに対応しない場合、プロセッサがアラーム信号を提供するよう構成された請求項１３〜１５のいずれか１つに記載の装置。
【請求項１７】
紙幣による金銭的総価値が参照データに対応しない場合、プロセッサがアラーム信号を提供するよう構成された請求項１３〜１５のいずれか１つに記載の装置。
【請求項１８】
密封されたコンテナ内のシート物を処理する装置であって、
密封されたコンテナをその中で受け取るロック可能なハウジングと、
コンテナをハウジング内に受け入れ、ハウジングが閉じてロックされたとき、該コンテナを開封する開封装置と、
ロックされたコンテナ内でコンテナからシート物を計数する計数装置と
を備え、
シート物が該計数装置によって計数された後のみコンテナ内のシート物へのアクセスを可能にするよう構成された装置。
【請求項１９】
ハウジング内にソータを含み、シート物がソータによって仕分けられた後のみシート物へのアクセスを可能にするよう構成された請求項１８に記載の装置。
【請求項２０】
コンテナの内容物に対応するデータを受ける手段と、計数装置によって計数されたシート物へのアクセスが可能になる前に、計数装置によって計数された内容物を前記データと照合する手段とを含む請求項１８または１９に記載の装置。
【発明の詳細な説明】
【技術分野】
【０００１】
本発明は銀行券のようなシート物を処理する装置に関し、シート物を収納するコンテナを開封する装置に特別の用途を有する。
【０００２】
背景
我々の出願ＧＢ０３２７５２２．９において、我々は銀行券のようなシート物がパッケージされたコンテナであって、そのコンテナは密封され、使用に適さないようにしなければ開封されず、それによってコンテナから抜き取られる危険性を少なくするコンテナを記載している。コンテナは、スーパーマーケットのレジのような販売場所で、銀行券を認証し計数するパッケージ用装置を使用しながら、詰められることができる。パッケージ用装置は、コンテナ上で閉塞部材を密封し、それによって抜き取られる危険性を少なくして、スーパーマーケットの勘定オフイスまたは銀行のような別の場所に移送できる。パッケージ用装置は、コンテナ内の銀行券の枚数、種類および価値に関するデータを更新できる。コンテナ内の銀行券に関するデータは、コンテナ上の、例えば、閉塞部材の内側上、またはコンテナ内のRFIDタグ上のプリンタを用いて記録される。
【０００３】
本発明は、銀行券のようなシート物を収納するコンテナを開封する改良された装置に関し、該装置では抜き取りの危険性を著しく少なくする。
【０００４】
発明の概要
本発明により、ハウジングを備え、該ハウジングが、
ａ）シート物を収納するコンテナをハウジングの外側から受け取ることができ、ハウジング内でコンテナを開封することができる開封装置と、
ｂ）ハウジング内で開封されたコンテナからシート物を計数し、計数されたシート物の枚数に対応する計数信号を発生する計数装置と
を含む、シート物を処理する装置が提供される。
【０００５】
コンテナの開封およびその内容物の計数は両方ともハウジング内で行われるので、計数処理の間、銀行券の抜き取りの危険性を著しく少なくする。
【０００６】
装置はコンテナからシート物の種類を検出する種類センサを含んでもよく、ソータは種類センサによって検出された種類により計数されたシート物を仕分けしてもよい。
【０００７】
ハウジングは開封されたコンテナから計数装置にシート物を供給するシート供給手段を含んでもよい。
【０００８】
開封装置は、コンテナ内のシート物で密封された弾性的に変形可能な材料でできたコンテナを、例えば、コンテナを破裂させることによって、開封するよう構成されてもよい。
【０００９】
ハウジングは、挿入されたシート物を収納するコンテナを、開封装置で開封することができるドアを含んでもよく、開封装置は、ドアが閉じているときのみ作動してもよい。
【００１０】
計数信号に応答する処理回路を、計数信号の値をコンテナ内のシート物の枚数に対応する参照データと比較するよう構成してもよい。参照データを、コンテナ内に収納でき、装置は参照データを検知する検知器を含んでもよい。例えば、参照データをコンテナ内でＲＦＩＤタグ上に保持してもよく、この場合、検知器は、タグから参照データを検知するためのＲＦＩＤタグ読取器を備える。また、処理回路が、離れた位置から参照データを受ける入力部を含んでもよい。
【００１１】
計数信号が参照データに対応しない場合、プロセッサがアラーム信号を提供するよう構成されてもよい。あるいは、特別な種類の紙幣の枚数が参照データに対応しない場合、プロセッサがアラーム信号を提供するよう構成されてもよい。あるいは、紙幣による金銭的総価値が参照データに対応しない場合、プロセッサがアラーム信号を提供するよう構成されてもよい。
【００１２】
図面の簡単な説明
本発明をさらに十分に理解できるように、その実施態様を、以下の添付の図面を参照し実施例を用いて記載する：
図１は、本発明によるパッケージ用装置および関連する使い捨てコンテナの概略斜視図であり、使える状態のコンテナを備えた閉じた構成である。
図２は、図１の図に対応しているが、装置が使用前にコンテナを受けるために開放している。
図３は、図１に対応し、コンテナを密封する閉塞部材の挿入を示す。
図４は、コンテナの第１実施例の概略斜視図である。
図５は、開封位置の支持レールの１つを備えたコンテナの一部破断斜視図である。
図６は、図５に対応するが、閉鎖位置の支持レールを備えている。
図７ａは、図５のＡ−Ａ‘線に沿う、空のときのコンテナの一方側の一部断面図であり、開封位置の支持レールを備えている。
図７ｂは、図５のＡ−Ａ‘線に沿う、銀行券がいっぱいのときのコンテナの他方側の一部断面図であり、開封位置の支持レールを備えている。
図８は、空のコンテナを備えたパッケージ用装置の縦断面図である。
図９ａ−９ｄは、パッケージ用装置の図であり、コンテナをいっぱいにするために駆動機構の作動を横断面で説明する。
図１０は、図８に対応するが、コンテナはいっぱいである。
図１１は、図１０に示すコンテナの上部平面図である。
図１２は、コンテナの内容物を空にし、それらを計数するための、使える状態のコンテナ処理装置の断面図である。
図１３は、図１２に対応し、コンテナを開封後、使用状態の装置を備えている。
【００１３】
詳細な説明
次の説明では、我々の出願ＧＢ０３２７５２２．９で記載されたパッケージ用装置に対応する、密封コンテナ内の銀行券（banknotes）のようなシート物（sheet objects）をパッケージするためのパッケージ用装置の実施例を説明する。次いで、本発明によるコンテナからシート物を取り除いて計数するための装置の実施例を説明する。
【００１４】
図面で説明される装置は、銀行券のパッケージ用および開封用である。そしてここで使用する用語“銀行券（banknotes）”は、“paper money”として、また米国では“currency”または“bill”として知られるマネーとして使用するために、要求に応じて持参人に支払い可能な、特に中央銀行または他の政府機関からの約束手形（promissory note）を意味する。
【００１５】
図１を参照すると、パッケージ用装置１は、入口スロット３を通じて個人の銀行券２を受け取り、そしてそれらを取り外し可能なコンテナ４内に積み重ねるよう構成される。パッケージ用装置１は、銀行券をコンテナ４にパッケージし、次いで出納事務所または銀行のような遠方の場所に安全に移送できるように、販売店の販売場所に、例えばスーパーマーケットのレジに設置されてもよい。
【００１６】
パッケージ用装置１は、主体５と、コンテナ４を受け入れるために主体５に設置されたフレーム６とを備えている。フレーム６は、図１に示された閉鎖位置と図２に示された開封位置との間に移動できるように、この実施例では主体５にヒンジ止めされる。コンテナ４を挿入し、フレーム６と主体５の間に取り除くことを可能にする結合機構として作用する。コンテナ４は、その構成をさらに詳しく後述するが、略長方形で、周囲にリップ７を備えている。フレーム６は出口ポート８を区画形成し、それを介してコンテナ４が図１に示すように突き出て、主体５とフレーム６との間に挟まれてリップ７を備えている。
【００１７】
図３を参照すると、コンテナが銀行券２でいっぱいになると、密封カード９の形で閉塞部材が主体５の入口ポート１０を介して挿入され、コンテナ４にヒートシールされる。かくして、フレーム６が図２に示されるように開放されると、密封コンテナは銀行券を収容する出納事務所への運搬用に準備ができる。
【００１８】
図４を参照すると、コンテナ４は、熱可塑性樹脂材料の一体成形で製造され、リップ７で囲まれた略長方形の開口部１１と、ベース１２と、ベースから開口部およびリップ７に延びる側壁１３，１４，１５，１６とを備えている。側壁１３、１４、１５、１６は強度を付与するために波形を付けられている。
【００１９】
開口部１１の寸法は、特別な種類の銀行券の挿入が可能になるよう選択され、側壁１４，１５が側壁１３，１５より大きい。
【００２０】
ベース１２は、中央、ベース支持領域１８と側壁１３、１６との間に配置される波形部１７を含むよう型で成形される。この実施例では、ベース支持領域１８は楕円形であるが、後に明らかになるように他の形も使用できる。波形部１７は、逐次銀行券がコンテナ４に挿入されるごとに、開口１１に向かって付勢する圧縮バネとして働く。
【００２１】
細長く、城郭風の羽部１９，２０が、リップ７にコンテナ４の長辺側に沿ってヒンジで結合される。羽部１９，２０は最初に図４に示された構成であるが、結果的に複数のコンテナ４が、１つを他の中に積み重ねることができ、コンテナの供給が、配達を容易にし、販売の場所で、使用できる状態にパッケージ用装置１に隣接して保存できるようにする。
【００２２】
コンテナ４をパッケージ用装置１内で使う準備をするために、比較的硬い長方形のラジオ周波数（ＲＦＩＤ）タグ２１（図４には説明されていないが、図８には説明されている）ベース支持領域１８上に位置する。ＲＦＩＤタグ２１はプリントコイルの形であってもよい。ＲＦＩＤタグ２１についての更なる情報は、ＲＦＩＤ Handbook, Klaus Finkenzeller, 1999, John Wiley & Sonsから得られる。本願の実施態様では、ＲＦＩＤタグ２１が読み／書きタグである。通常は、そのようなタグは約２ｍの読み取り範囲を有し、かつ約２ＫＢのデータを保存できる。Referenceは、また１３．５６ＭＨｚ周波数帯で作動するＲＦＩＤタグの詳細な規格のための国際標準規格ＩＳＯ１５６９３を対象とする。
【００２３】
ＲＦＩＤタグ２１は、釘と受け口２２を協働させて、ベース支持領域１８と連結する型で形成されたプラスチック部材を備えてもよい。ＲＦＩＤタグ２１は、コンテナ４の側壁まで延びて銀行券を支持する。従って、羽部１９，２０は、図４に示される位置から内側に矢印Ｘ方向にヒンジ止めされる。後に更に詳細に説明するように、羽部１９，２０は、内向きに折り畳まれると、ガイドレールとして働き、銀行券が開口１１を介してコンテナ４への挿入のためにガイドレールに沿って通過することを可能にする。
【００２４】
図５では、羽部１９がまず外側に延びる位置に、図６では、内側に折りたたんだ位置に示される。羽部１９は、城郭部２４を生じさせる一連のギザギザ付きに形成された主ガイド面２３と、ヒンジライン２６と、主ガイド面２３をヒンジライン２６に接続する結合面２７とを備えている。
【００２５】
羽部１９，２０が矢印Ｘの方向で内側に折りたたまれ、コンテナ４がパッケージ用装置１に挿入されると、図７ｂで説明する領域２８においては、パッケージ用装置１によって結合面２７はリップ７によって溶接される。
【００２６】
図７ａでは、コンテナ４に銀行券が無く、加圧されていない初期の状態の弾性波形部１７とともに、羽部１９がまず外側に延びる位置に示される。図７ｂは、コンテナ４が銀行券２の束２９で満たされたときの構成を示す。この状況で、ＲＦＩＤタグ２１は、下側に加圧され、銀行券の束２９を収容し、それによってコンテナ４のベースの波形部１７を加圧する。羽部１９は矢印Ｘの方で向内向きにヒンジ止めされ、リップ７に対し領域２８に溶接され、それによって城郭部２４が後方にコンテナ４内に銀行券の束２９を保持する。
【００２７】
パッケージ用装置１が銀行券２を有するコンテナ４で満たす方法を更に詳細に説明する。図８を参照すると、パッケージ用装置１の断面図が、空で、銀行券２をいつでも受け入れる状態の、フレーム６内に収まったコンテナ４とともに示される。コンテナ４の羽部１９、２０は、図２に図式的に示される位置に内側に折りたたまれ、主体５とフレーム６との間の位置にクランプ止めされる。主体５は、第１入口ポート３から、銀行券検出ステーションＳを介して、フレーム６の出口ポート８に延びる入口パス３０を含む。銀行券２を第１入口ポート３に入れると、光学センサ３１によって、駆動ローラ対３２、３３を駆動させ、確認回路３５に結合された確認センサ配列３４を検出される。プリント回路基板３６に装着される。確認センサ配列３４および関連回路３５は、米国特許Ｎｏ．４,３４８,６５６に記載の我々のアルダック・技術に対応できる。とにかく、センサ配列３４および関連回路３５によって、銀行券２が詐欺に対して真の銀行券であることを決定し、駆動ローラ対３２、３３が銀行券２を出口ポート８の方へ移送する。さもなければ、ローラ対３２、３３は銀行券２を入口ポート３から追い出す。
【００２８】
銀行券２を受け入れ可能と仮定して、それをローラ３２、３３によって銀行券駆動機構の方に通し、この実施例では、図９ａでさらに明確に示された一対の駆動ベルト３７、３８を含み、銀行券２の長手方向側端に係合し、出口ポート８に一列に並んで移動する。さらに詳細にベルト３８を考えると、それが矢印Ｙの方向にモータ４１によって駆動されるプーリ３９、４０間に延び、それが出口ポートと並ぶまで、入口パス３０に沿い、主面に対して直角の方向に銀行券２がベルト３７、３８によって引かれる。
【００２９】
また、銀行券駆動機構は、銀行券２をコンテナ４に駆動させるように、ベルト３７、３８間の下向き移動のために装着される硬い板の形のプランジャ４２を含む。この目的を達成するために、モータ４３が、駆動車４６、４７を介して、点線で図解した２対の楕円形カム４４、４５を駆動させる。使用時は、カム４４、４５は矢印Ｚ方向に（図９ｂに示す）回転し、銀行券２と共に開口１１を介してコンテナ４内に、入口パス３０に沿って開口１１に到着するときは銀行券の平面に垂直な方向にプランジャ４２を駆動する。
【００３０】
この工程を図９ａ−９ｄに詳細に示す。図９ａを参照すると、内向きに折りたたまれた羽部１９、２０の主ガイド面２３に沿って、銀行券２をベルト３７，３８によって駆動する。主ガイド面２３は銀行券２の長手方向の側端を支持するレールとして作動する。銀行券２フレーム６の出口ポート８と並ぶと、図９ｂに示すように、モータ４３を作動させてカム４４、４５を下方に回転させる。結果として、銀行券２が羽部１９、２０を通過して下方に移動されるように、プランジャ４２を矢印Ｄの方向に下方に移動させる。プランジャ４２が城郭２４を通過して下方に移動するとき、主ガイド面２３から銀行券の側端２ａ、２ｂが離れるように側端が変形し、銀行券２全部がコンテナ４に移動する。カム４４、４５が回転を続けると、プランジャ４２および銀行券２をＲＦＩＤタグ２１に対して下方に移動させ、波形部１７を加圧し、それによって銀行券２の側端２ａ、２ｂが平らになり、城郭２４の下方に設置されることになる。
【００３１】
ついで、カム４４，４５を、図９ｃに示す次の銀行券２´にいつでも係合できるそれらの初めの位置に回転する。このようにして、銀行券２をコンテナ４内に挿入し、コンテナ４内の銀行券２を保持する止めとして作用する、城郭部２４に対する弾性波形部１７の加圧力によって銀行券２を保持する。
【００３２】
一連の銀行券をコンテナ４内に挿入し、図９ｄに示すように銀行券の束２９を形成し、それによって最上の銀行券を城郭２４の下に保持する。
【００３３】
図１０は、下方に移動されたＲＦＩＤタグ２１とともに、コンテナ４内の束２９を示す。スプリング波形部１７の加圧力が束２９を城郭２４に対して上方に付勢し、銀行券をコンテナ４内に安全に保持する。
【００３４】
コンテナ４が満たされると、オペレータが、第２入口ポート１０を介して閉塞部材９を挿入する。閉塞部材９は、プラスチック材料の光学的に透明または半透明なシートからなる。その閉塞部材９を光学センサ４８によって検出し、銀行券用入口パス３０内に延びる閉塞部材入口パス４９に沿って移動し、その結果、銀行券の束と類似の方法で、出口ポート８と並ぶまで駆動ベルト３７，３８によって係合し、かつ駆動される。閉塞部材９はこのようにしてコンテナ４の入口１１の向こうに配置され、その結果、部材９の側端が羽部１９、２０の主ガイド面２３の向こうに延び、そして、また、コンテナ４の短辺側のリップ７の向こうに延びる。図９ｄに示されるように、パッケージ用装置の主体６は電気ヒータ５０を含む。使用中は、閉塞部材９がコンテナ４の開口１１と並ぶと、ヒータ５０のスイッチが入り、羽部１９、２０に閉塞部材９を熱融着し、さらに羽部自体をコンテナ４のリップ７上に溶かす、すなわち図７に示す溶着部２８を形成する。
【００３５】
図１０に示すように、主体５は、RFIDタグ２１からデータを読み取る又はデータを書き込むことができるRFID読み/書き部５２を含む。確認センサ配列３４および関連回路３５は、コンテナ４にパッケージされた各銀行券による貨幣価値を決定することができる。かくして、他の情報に加えて、コンテナ４にパッケージされた各銀行券による貨幣価値および異なる種類の多数の銀行券のような情報を備えた価値データが、RFID読み/書き部５２を用いるRFIDタグ２１に書き込みできる。
【００３６】
コンテナ４に閉塞部材９を密封後、図２に示すように、フレーム６を開放でき、密封されたコンテナを他の場所、例えば現金事務所に移送できる。結果として得られたパッケージされた銀行券は、閉塞部材９をその内容物を保護するコンテナ４に熱融着するため、容易にいたずらされない。もし、密封したコンテナ４を開封すると、コンテナ４はその後パッケージ用装置１において再利用できない。かくして、抜き取りの危険性は著しく減少される。
【００３７】
図１１は、羽部１９、２０およびリップ７に熱融着された閉塞部材９とともに、コンテナ４を平面図で説明する。コンテナにおける紙幣の枚数といった印刷データ、それらの種類およびそれらがパッケージされた時間および場所を、図８に示すプリントヘッド５１を用いて閉塞部材９の裏面に印刷でき、入口１０を介して閉塞部材９を挿入すると、プリントヘッド５１は回路３５によってそれに供給されたデータＤを印刷する。
【００３８】
閉塞部材９は、銀行券でいっぱいになったときコンテナ４の開封を容易にするための脆弱部分５３のラインを含む。閉塞部材９を脆弱部分５３のラインに沿って裂き、閉塞部材９が破裂して開くことができる。次いで、内容物を取り出すことができる。
【００３９】
コンテナ４を一旦開封すると、コンテナ４がいたずらされたかどうか閉鎖後にはっきりと目に見える徴候が表れ、パッケージ用装置１で銀行券をパッケージするためにコンテナ４を再利用することはできないと理解できるであろう。さらに、開封時に、閉塞部材９に印刷されたデータまたはRFIDタグ２１から得られたデータをコンテナ４の内容物を確かめるために使用できる。
【００４０】
本発明による装置の実施例を、コンテナ４の内容物を開封し、計数するために
説明する。
【００４１】
装置５４は、安全で、いたずらを防止するハウジング５５からなり、該ハウジングは、上向きになったコンテナ４を挿入したチャンバー５７にアクセスできるように開封できるヒンジ止めされた扉５６を備えている。先に述べたように、コンテナ４は、RFIDタグ２１とともに銀行券でいっぱいになり、それに密封された閉塞部材９を持つ。
【００４２】
チャンバー５７は、コンテナ４の開口部１１に対応する寸法を持つ解放開口５９を含む、支持面５８を含有する。ハウジング５５内の開封装置は、電気モータ６１，６２を用いて矢印Ｒの方向に下方に駆動可能なラム６０を含み、モータがラム６０に装着した歯付きラック６５，６６に係合する歯付きピニオン６３，６４を駆動する。モータ６１，６２を装置の全機能をコントロールするプロセッサによってコントロールする。プロセッサ６７は、技術的にそれ自体周知の関連のメモリを備えたマイクロコントローラを含んでもよい。
【００４３】
また、ハウジング５５内に含められるものは銀行券計数装置６８であり、この装置は、プロセッサ６７のコントロールの下で電気モータ（図示せず）によって駆動されるローラ６９を含む外輪アセンブリを備えている。略放射状に延び、弾性の、例えばプラスチック材料で形成された複数のパドル７０をローラ６９に装着する。パドルホイール計数器は、技術的にそれ自体周知であり、例えば、デ・ラ・カッシュ・システムズ・インコーポレーテッド（De La Cash Systems Inc.）によるモデル２８００ＶＢ計数器である。使用時は、個々の銀行券は、計数されるため、隣接するパドルホイール７０どうしの間に供給され、次いで、連続する銀行券をソータ７２に供給するスクレーパー刃７１を用いて、計数装置６８から取り出され、ソータ７２は、異なる種類の銀行券を個別に受け入れる付随トレイ７４〜７７を持つ上下に往復動するキャリッジ７３を備えている。
【００４４】
この実施例では、ソータ７２はハウジング５５の外に配置されたトレイ７４〜７７を持つ。しかし変形例では、ハウジング５５は点線で示す拡張部７８を含んでもよい。この拡張部は、銀行券の計数が装置内で完結した後、オペレータによってのみ開封可能である。
【００４５】
プロセッサ６７を銀行券の枚数およびその種類に対応する参照データを受け取るよう構成されている。参照データを入口連結部７９を介して遠隔の場所から受け取ってもよい。例えば、パッケージ用装置１は、コンテナ４に収納された銀行券の枚数と種類に関するデータを提供でき、この情報を、ネットワークまたはテレコミニケーション・リンクを介して、図１２に示す装置に送ってもよい。
その代案としては、コンテナ４をチャンバ５７に受けるとＲＦＩＤタグ２１から参照データに対応して読み取るＲＦＩＤ読み／書き部８０を利用して参照データを集めてもよい。
【００４６】
ローラ８１，８２の形の供給手段を矢８３，８４の方向にモータ（図示しない）で、コンテナ４から一連のパドル７０間で個々に銀行券を供給するためにプロセッサ６７のコントロール下で駆動する。ローラ８１，８２は、ガイド面８５を介して突き出ていて、該ガイド面上には、コンテナ４を開封するとき該コンテナ４から銀行券を挿入する。銀行券種類センサ８６は、計数装置６８に連続して供給しながら銀行券の異なる種類を検知する。この実施例では、種類センサ８６は、異なるカラーを有する異なる種類の銀行券を検知するカラー感知光検知器を備えている。種類センサ８６はプロセッサ６７に入力を与える。
【００４７】
計数センサ８７は光センサでもよいが、一連の銀行券の計数装置６８のローラ６９の周りに放射状に移送されるごとにその通過を検知する。計数センサ８７からの出力をプロセッサ６７に供給する。実際には、プロセッサ６７に計数情報を供給するいくつかの検出装置があってもよい。例えば、角度回転部６９を、一連のパドル７０の間に銀行券を供給したことをチェックすると共に、銀行券のプロセッサが枚数に対応する計数信号を生み出せるよう、検知してもよい。
【００４８】
ＬＣＤパネルまたは他の適切な電子表示部を備えてもよい表示部８８を、銀行券の枚数に対応する計数信号、それらの種類および他のデータの表示部を提供するためにプロセッサ６７に接続し、計数され、各トレイ７４〜７７に積み重ねられた銀行券に関する詳細な情報をユーザーに提供する。
【００４９】
プロセッサ６７は、またドアセンサ８９から入力を受け、該センサはドア５６の閉塞を検知するためにマグネット９０と協働するホール効果スイッチ（Hall effect switch）を備えてもよい。
【００５０】
装置５４を、コンテナ４を開封し、不正開封ハウジング５５内の内容物を計数し、抜き取りを防止できる条件下で計数信号を生み出すのに使用できる。
【００５１】
使用中では、ドア５６を開放し、上向きのコンテナ４をチャンバ５７に挿入し、開口１１を開放開口５９と協働させる。次いで、ドア５６を閉じ、そして結果としてセンサ８９が、コンテナ４を開封することが安全であることをプロセッサ６７に知らせる。
【００５２】
プロセッサ６７は、次いで、ラックとピニオンのアセンブリ６３〜６６を駆動させるためにモータ６１，６２を作動させ、図１３に示すようにラム６０によりコンテナ４上へ下向きに圧力を加える。密封されたプラスチック製コンテナ４を、図１１で示す弱い部分５３のラインに沿って破って開封する。結果として、ＲＦＩＤタグ２１および閉塞部材９の破ってオープンした部分と共に銀行券の束をガイド面８５上に積み重ねて預ける。
【００５３】
プロセッサ６７は、次いで、供給ローラ８１，８２を作動させ、一連の銀行券を束２９の底部から計数機構の一連のパドル７０の間のスペースに供給する。計数機構のローラ６９を矢９１の方向に回転させ、一連の銀行券が計数センサ８７を通過するようにし、それによってプロセッサ６７を計数された銀行券の枚数に対応する計数信号を作り上げることができる。刃７１は一連の銀行券をローラ６９からソータ７２に向って供給する。
【００５４】
ソータ７２のキャリッジ７３を、種類センサ８６によって検知された銀行券の種類によりプロセッサ６７のコントロールの下、上下に往復動させる。結果として、各トレイ７４〜７７は個々の種類の銀行券の束を作り上げる。
【００５５】
ソータ７２のトレイ７７を閉塞部材９の破る部分のために蓄える。先に述べたごとく、コンテナの内容物に対応する印刷データを閉塞部材９上に印刷してもよく、このデータを他のトレイ７４〜７６上で銀行券の枚数と種類を確かめるために視覚チェック用いることができる。トレイのもう１つをＲＦＩＤタグ２１のために蓄えてもよい。
【００５６】
かくして、プロセッサ６７は、開封されたときにコンテナ４から計数された銀行券の種類に対応する計数信号およびデータを作り上げる。結果として得られたデータを、ＲＦＩＤ読み取り／書き込み８０によって受け取られた参照データに対し、追加してまたは代わって入力７９を介して受け取られた参照データに対しチェックできる。使用後は、ＲＦＩＤタグ２１についてのデータを読み取り／書き込み８０によって消去してもよく、それによってタグ２１を再利用し、さらに安全目的のためにデータが他人によって読み取られないことを保障できる。
【００５７】
結果として得られた計数信号および種類情報を、プロセッサによって供給し、表示装置８８によって表示する。装置によって得られたデータが参照データに対応しない場合には、プロセッサがアラームを信号で示すと、対応するアラームをディスプレイ８８に示してもよい。表示されたアラームは、そのアラームを引き起こした特別な出来事をオペレータに報告してもよい。そのような出来事は、計数された紙幣の全数の不一致、計数された紙幣の特別な種類の枚数の不一致、またはコンテナ４の内容物による金銭的価値の不一致を含んでもよい。参照データが、市販の場所から装置５４に至る、コンテナの道程に関する情報からなる場合には、出来事は、道程の長さが予め決められた制限時間を超えるか、道程のルートが予め決められたルートから外れる場合でもよい。加えて、プロセッサ６７は、エラーが生じた出口９１に関する信号を、離れたコンピュータ、例えば会計システムの一部に送信してもよい。また、アラームベル（図示しない）を鳴らしてもよい。
【００５８】
かくして、コンテナ４の内容物の計数を、本発明により安全な条件下、実行できる。計数信号をプロセッサ６７によって定め、表示部８８かまたは離れたコンピュータにライン９１で信号を送ると、開封されたコンテナから１つまたはそれ以上の銀行券を盗んだのがオペレータであると送信され、装置５４の作動の結果として抜き取りが行われたと明らかな証拠になるため、オペレータが銀行券を取り出すことが難しくなる。かくして、この高められた結果責任が抜き取りを阻止する。
かくして、コンテナ４の内容物の計数を、本発明により安全な状態で実行できる。一旦、計数信号がプロセッサ６７によって決められ、表示８８するか、またはリモートコンピュータにオンライン９１で送られると、オペレータが銀行券を取り出すのが難しくなる。それは、装置５４の働きの結果として抜き取りが起こったことがすぐ分かるほど明白になるからであり、従って１以上の銀行券を開封されたコンテナから盗んだのはオペレータであると信号を送ることになるからである。これが説明責任を高め、従って抜き取りを阻止する。
【００５９】
計数を完了すると、ドア５６を開放し、コンテナ４の残るシェルを装置から取り出し、次いでプラスチックのリサイクル設備に送られるによって、処分される。
【００６０】
説明された本発明の実施例に対する多くの改良、変更が、請求された発明の範囲に属する。例えば、ソータは可動の台車を持たなくてもよく、スクレーパ刃は異なる種類の銀行券をソータのトレイに直接導くダイバータ（diverter）を含んでもよい。
【００６１】
さらに、装置は銀行券を用いて説明してきたが、トークン、商品券および他のシート物を用いることができる。
【図面の簡単な説明】
【００６２】
本発明をさらに十分に理解できるように、その実施態様を、以下の添付の図面を参照し実施例を用いて記載する：
【図１】図１は、本発明によるパッケージ用装置および関連する使い捨てコンテナの概略斜視図であり、使える状態のコンテナを備えた閉じた構成である。
【図２】図２は、図１の図に対応しているが、装置が使用前にコンテナを受けるために開放している。
【図３】図３は、図１に対応し、コンテナを密封する閉塞部材の挿入を示す。
【図４】図４は、コンテナの第１実施例の概略斜視図である。
【図５】図５は、開封位置の支持レールの１つを備えたコンテナの一部破断斜視図である。
【図６】図６は、図５に対応するが、閉鎖位置の支持レールを備えている。
【図７ａ】図７ａは、図５のＡ−Ａ‘線に沿う、空のときのコンテナの一方側の一部断面図であり、開封位置の支持レールを備えている。
【図７ｂ】図７ｂは、図５のＡ−Ａ‘線に沿う、銀行券がいっぱいのときのコンテナの他方側の一部断面図であり、開封位置の支持レールを備えている。
【図８】図８は、空のコンテナを備えたパッケージ用装置の縦断面図である。
【図９ａ−９ｄ】図９ａ−９ｄは、パッケージ用装置の図であり、コンテナをいっぱいにするために駆動機構の作動を横断面で説明する。
【図１０】図１０は、図８に対応するが、コンテナはいっぱいである。
【図１１】図１１は、図１０に示すコンテナの上部平面図である。
【図１２】図１２は、コンテナの内容物を空にし、それらを計数するための、使える状態のコンテナ処理装置の断面図である。
【図１３】図１３は、図１２に対応し、コンテナを開封後、使用状態の装置を備えている。
【図１】
2008522265.tif 000003
【図２】
2008522265.tif 000004
【図３】
2008522265.tif 000005
【図４】
2008522265.tif 000006
【図５】
2008522265.tif 000007
【図６】
2008522265.tif 000008
【図７ａ】
2008522265.tif 000009
【図７ｂ】
2008522265.tif 000010
【図８】
2008522265.tif 000011
【図９ａ】
2008522265.tif 000012
【図９ｂ】
2008522265.tif 000013
【図９ｃ】
2008522265.tif 000014
【図９ｄ】
2008522265.tif 000015
【図１０】
2008522265.tif 000016
【図１２】
2008522265.tif 000017
【図１３】
2008522265.tif 000018
【図１１】
2008522265.tif 000019
【国際調査報告】
2008522265.tif 000020
2008522265.tif 000021
2008522265.tif 000022